(57)【要約】【課題】プログレッシブ変換部とスケーリング部を有する場合に処理時間を短縮することが可能なプロジェクター等を提供すること。【解決手段】プロジェクター１００が、入力画像信号の種別がインターレースかプログレッシブかを示す設定情報１３２が有効か無効かを判定する判定部１４０と、設定情報１３２が無効の場合に前記入力画像信号に基づき、前記種別を判定し、前記種別がインターレースの場合に前記入力画像信号に対してプログレッシブ変換を行うとともに、設定情報１３２が有効の場合に前記種別の判定および前記プログレッシブ変換を行わないプログレッシブ変換部１６０と、前記入力画像信号または前記プログレッシブ変換の行われた画像信号に対してスケーリングを行うスケーリング部１７０を含んで構成される。【選択図】図１
2010190953.tif 000002
【特許請求の範囲】
【請求項１】
入力画像信号の種別がインターレースかプログレッシブかを示す設定情報が有効か無効かを判定する判定部と、
前記設定情報が無効の場合に前記入力画像信号に基づき、前記種別を判定し、前記種別がインターレースの場合に前記入力画像信号に対してプログレッシブ変換を行うとともに、前記設定情報が有効の場合に前記種別の判定および前記プログレッシブ変換を行わないプログレッシブ変換部と、
前記入力画像信号または前記プログレッシブ変換の行われた画像信号に対してスケーリングを行うスケーリング部と、
を含むプロジェクター。
【請求項２】
請求項１に記載のプロジェクターにおいて、
前記設定情報を記憶する記憶部を含むプロジェクター。
【請求項３】
請求項１、２のいずれかに記載のプロジェクターにおいて、
前記設定情報を入力する入力部を含むプロジェクター。
【請求項４】
請求項２に従属する請求項３に記載のプロジェクターにおいて、
前記入力部に入力された設定情報に応じて前記記憶部に記憶された設定情報を更新する更新部を含むプロジェクター。
【請求項５】
コンピューターに、
入力画像信号の種別がインターレースかプログレッシブかを示す設定情報が有効か無効かを判定する判定ステップと、
前記設定情報が無効の場合に前記入力画像信号に基づき、前記種別を判定し、前記種別がインターレースの場合に前記入力画像信号に対してプログレッシブ変換を行うとともに、前記設定情報が有効の場合に前記種別の判定および前記プログレッシブ変換を行わないプログレッシブ変換ステップと、
前記入力画像信号または前記プログレッシブ変換の行われた画像信号に対してスケーリングを行うスケーリングステップと、
を実行させるプログラム。
【請求項６】
コンピューターにより読み取り可能なプログラムを記憶した情報記憶媒体であって、
請求項５に記載のプログラムを記憶した情報記憶媒体。
【発明の詳細な説明】
【技術分野】
【０００１】
本発明は、プロジェクター、プログラムおよび情報記憶媒体に関する。
【背景技術】
【０００２】
画像信号の走査方式としては、主にインターレース方式とプログレッシブ方式がある。インターレース方式は、奇数ラインのみの情報と偶数ラインのみの情報を交互に送る方式である。これに対し、プログレッシブ方式は全ラインの情報を１度に送る方式である。インターレース方式の画像信号が入力された場合、プロジェクターは、プログレッシブ方式と同様の画像を生成するため、不足している画像信号の補間を行う。
【０００３】
種々の補間方式があるが、補間が行われると画像が投写されるまでの遅延時間も長くなる。また、プロジェクターは、画像信号の入力時等にインターレース方式とプログレッシブ方式を判定する必要があるが、適切な判定を行うためには、画像信号が安定した状態で判定する必要があるため、判定には時間がかかってしまう。
【０００４】
例えば、特開２００８−１１６８１２号公報では、入力画像の解像度を拡大または縮小して表示する場合に、メモリ容量および処理負荷を抑制しつつ適切に画像を表示することを目的として、入力画像がインターレース方式の画像である場合、スケーリング手法として、プログレッシブ方式の画像に変換することを決定し、スケーリング手法がプログレッシブ方式の画像に変換することを示す場合、第１のスケーリング部は、入力画像の解像度のまま画像データをメモリに書き込み、第２のスケーリング部は、読み出し部によって読み出された画像データに対し、プログレッシブ方式の画像になるように、第２のスケーリングとして、解像度を増加させるスケーリングを行うことが記載されている。
【先行技術文献】
【特許文献】
【０００５】
【特許文献１】特開２００８−１１６８１２号公報
【発明の概要】
【発明が解決しようとする課題】
【０００６】
しかし、特開２００８−１１６８１２号公報の手法は、２つのスケーリング部を用いる手法であるため、プログレッシブ変換部とスケーリング部を有するプロジェクターにそのまま適用することはできない。
【０００７】
本発明の目的は、プログレッシブ変換部とスケーリング部を有する場合に処理時間を短縮することが可能なプロジェクター、プログラムおよび情報記憶媒体を提供することにある。
【課題を解決するための手段】
【０００８】
上記課題を解決するため、本発明に係るプロジェクターは、入力画像信号の種別がインターレースかプログレッシブかを示す設定情報が有効か無効かを判定する判定部と、前記設定情報が無効の場合に前記入力画像信号に基づき、前記種別を判定し、前記種別がインターレースの場合に前記入力画像信号に対してプログレッシブ変換を行うとともに、前記設定情報が有効の場合に前記種別の判定および前記プログレッシブ変換を行わないプログレッシブ変換部と、前記入力画像信号または前記プログレッシブ変換の行われた画像信号に対してスケーリングを行うスケーリング部と、を含むことを特徴とする。
【０００９】
また、本発明に係るプログラムは、コンピューターに、入力画像信号の種別がインターレースかプログレッシブかを示す設定情報が有効か無効かを判定する判定ステップと、前記設定情報が無効の場合に前記入力画像信号に基づき、前記種別を判定し、前記種別がインターレースの場合に前記入力画像信号に対してプログレッシブ変換を行うとともに、前記設定情報が有効の場合に前記種別の判定および前記プログレッシブ変換を行わないプログレッシブ変換ステップと、前記入力画像信号または前記プログレッシブ変換の行われた画像信号に対してスケーリングを行うスケーリングステップと、を実行させることを特徴とする。
【００１０】
また、本発明に係る情報記憶媒体は、コンピューターにより読み取り可能なプログラムを記憶した情報記憶媒体であって、上記プログラムを記憶したことを特徴とする。
【００１１】
本発明によれば、プロジェクターは、設定情報が有効の場合に種別の判定およびプログレッシブ変換を行わないことにより、プログレッシブ変換部とスケーリング部を有する場合に処理時間を短縮することができる。また、本発明によれば、プロジェクターは、設定情報が無効の場合には通常の画像処理を実行することができる。
【００１２】
また、前記プロジェクターは、前記設定情報を記憶する記憶部を含んでもよい。
【００１３】
これによれば、プロジェクターは、設定情報を記憶しておくことにより、設定情報を入力する場合と比べて処理時間を短縮することができる。
【００１４】
また、前記プロジェクターは、前記設定情報を入力する入力部を含んでもよい。
【００１５】
これによれば、プロジェクターは、設定情報を入力することにより、設定情報を記憶しておく場合と比べてより柔軟に画像処理を実行することができる。
【００１６】
また、前記プロジェクターは、前記入力部に入力された設定情報に応じて前記記憶部に記憶された設定情報を更新する更新部を含んでもよい。
【００１７】
これによれば、プロジェクターは、入力に応じて記憶部の設定情報を更新することにより、高速かつ柔軟に画像処理を実行することができる。
【図面の簡単な説明】
【００１８】
【図１】第１の実施例におけるプロジェクターの機能ブロック図である。
【図２】第１の実施例における投写手順を示すフローチャートである。
【発明を実施するための形態】
【００１９】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例におけるプロジェクター１００の機能ブロック図である。プロジェクター１００は、ユーザーによる設定情報を入力する入力部１１０と、入力画像信号の種別がインターレースかプログレッシブかを示す設定情報１３２を記憶する記憶部１３０と、設定情報または更新情報に基づいて設定情報１３２を更新する更新部１２０を含んで構成されている。なお、ユーザーによる設定情報は、設定情報１３２と同一の情報であってもよいし、有効と無効を切り替える指示情報等であってもよい。
【００２１】
また、プロジェクター１００は、設定情報１３２が有効か無効かを判定する判定部１４０と、ＰＣ(Personal Computer)等から画像信号を入力する画像信号入力部１５０と、設定情報１３２が無効の場合に入力画像信号に基づき、上記種別を判定し、上記種別がインターレースの場合に入力画像信号に対してプログレッシブ変換を行うとともに、設定情報１３２が有効の場合に上記種別の判定およびプログレッシブ変換を行わないプログレッシブ変換部１６０と、入力画像信号またはプログレッシブ変換の行われた画像信号に対してスケーリングを行うスケーリング部１７０と、画像を投写する投写部１８０を含んで構成されている。
【００２２】
なお、プロジェクター１００は、これらの各部の機能を、以下のハードウェアを用いて実装してもよい。例えば、プロジェクター１００は、入力部１１０は赤外通信ユニット等、更新部１２０、判定部１４０はＣＰＵ等、記憶部１３０はＲＡＭ等、画像信号入力部１５０は画像入力端子等、プログレッシブ変換部１６０は画像処理回路等、スケーリング部１７０はスケーラー等、投写部１８０はランプ、液晶パネル、液晶駆動回路、レンズ等を用いて実装してもよい。
【００２３】
また、プロジェクター１００は、判定部１４０等の機能を情報記憶媒体２００に記憶されたプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２４】
次に、これらの各部を用いた投写手順について説明する。図２は、第１の実施例における投写手順を示すフローチャートである。
【００２５】
ユーザーは、画像の投写に先立ってプロジェクター１００に入力する画像信号の種別の設定を行う。例えば、プロジェクター１００に接続される画像出力装置が家庭用ゲーム装置等の場合、画像信号をインターレース信号として出力するか、プログレッシブ信号として出力するかを設定できる場合もある。ユーザーは、プロジェクター１００のリモコン（リモートコントローラー）等を操作して当該設定に応じてプロジェクター１００に入力する画像信号の種別の設定を行う。
【００２６】
入力部１１０は、当該リモコンからの設定情報等を入力し、更新部１２０は、当該設定情報等に応じて記憶部１３０内の設定情報１３２を更新する。
【００２７】
プロジェクター１００の電源オン、画像信号の入力ソース切り替え、画像信号入力部１５０への画像信号の変化等のイベントが発生した場合、判定部１４０は、設定情報１３２を参照して設定情報１３２が有効かどうかを判定する（ステップＳ１）。判定部１４０は、設定情報１３２が有効である場合、設定情報１３２が、入力画像信号がインターレースであることを示すかどうかを判定する（ステップＳ２）。
【００２８】
入力画像信号がインターレースであることを示す場合、プログレッシブ変換部１６０およびスケーリング部１７０は、インターレースに応じた画像処理を実行する（ステップＳ３）。なお、この場合、プログレッシブ変換部１６０は、補間処理によるインターレースの画像信号のプログレッシブの画像信号への変換を行わない。また、スケーリング部１７０は、プログレッシブ変換部１６０からのインターレースの画像信号を液晶パネルのサイズに拡大する。
【００２９】
一方、入力画像信号がインターレースでないこと、すなわち、プログレッシブであることを示す場合、プログレッシブ変換部１６０およびスケーリング部１７０は、プログレッシブに応じた画像処理を実行する（ステップＳ４）。例えば、スケーリング部１７０は、プログレッシブ変換部１６０からのプログレッシブの画像信号を液晶パネルのサイズに拡大する。
【００３０】
また、設定情報１３２が有効でない場合、プログレッシブ変換部１６０は、入力画像信号の垂直同期信号の位相差等を計測することによって入力画像信号の種別を判定し（ステップＳ５）、入力画像信号がインターレースであるかどうかを判定する（ステップＳ６）。
【００３１】
入力画像信号がインターレースであることを示す場合、プログレッシブ変換部１６０およびスケーリング部１７０は、インターレースに応じた通常の画像処理を実行する（ステップＳ７）。例えば、プログレッシブ変換部１６０は、補間処理等を実行してインターレースの画像信号をプログレッシブの画像信号に変換する。
【００３２】
一方、入力画像信号がインターレースでないこと、すなわち、プログレッシブであることを示す場合、プログレッシブ変換部１６０およびスケーリング部１７０は、プログレッシブに応じた通常の画像処理を実行する（ステップＳ８）。
【００３３】
投写部１８０は、これらの画像処理後の画像信号に基づき、スクリーン等に画像を投写する（ステップＳ９）。
【００３４】
以上のように、本実施例によれば、プロジェクター１００は、設定情報１３２が有効の場合に種別の判定およびプログレッシブ変換を行わないことにより、プログレッシブ変換部１６０およびスケーリング部１７０を有する場合に処理時間を短縮することができる。
【００３５】
また、本実施例によれば、プロジェクター１００は、設定情報１３２が無効の場合には通常の画像処理を実行することができる。すなわち、ユーザーは、例えば、プロジェクター１００に入力する画像信号の種別が特定できない場合等には、設定情報１３２の設定を行わないことにより、プロジェクター１００を用いて通常通りの画像の投写を行うことができる。
【００３６】
また、本実施例によれば、プロジェクター１００は、ユーザーの入力に応じて記憶部１３０の設定情報１３２を更新することにより、高速かつ柔軟に画像処理を実行することができる。すなわち、プロジェクター１００は、設定情報１３２を記憶部１３０に記憶しておくことにより、ユーザーは設定情報１３２の設定を毎回行う必要はなく、設定に必要な時間も短縮できるため、高速かつ柔軟に画像処理を実行することができる。また、プロジェクター１００に更新部１２０を設けることにより、ユーザーは、種別を変更したり、設定情報１３２の設定を無効に設定したりすることができるため、プロジェクター１００は、柔軟に画像処理を実行することができる。
【００３７】
（その他の実施例）
なお、本発明の適用は上述した実施例に限定されず、種々の変形が可能である。例えば、入力画像信号の種別が固定であるか、ほとんど１種類の場合、当該種別を示す設定情報１３２を記憶部１３０に記憶しておいてもよい。すなわち、入力部１１０は必須ではない。
【００３８】
また、更新部１２０および記憶部１３０も必須ではない。例えば、判定部１４０は、入力部１１０によって入力される設定情報に基づいて入力画像信号の種別等を判定してもよい。
【００３９】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００の機能を複数の装置（例えば、ＰＣとプロジェクター等）に分散して実装してもよい。
【符号の説明】
【００４０】
１００  プロジェクター、１１０  入力部、１２０  更新部、１３０  記憶部、１３２  設定情報、１４０  判定部、１５０  画像信号入力部、１６０  プログレッシブ変換部、１７０  スケーリング部、１８０  投写部、２００  情報記憶媒体
【図１】
2010190953.tif 000003
【図２】
2010190953.tif 000004